(57)【要約】【課題】飲料容器の径の大小に拘わらず飲料容器を安定的に保持できる飲料容器ホルダーを提供すること【解決手段】飲料容器ホルダーＨは、下端部に容器支持部（底壁３ｅ）が設けられた筒状のインナーケース３と、インナーケース３に周方向に向けて形成されたアーム配設用スリット４と、アーム配設用スリット４に沿ってアーム配設用スリット４）内に配置可能に配設された一対の弾性変形可能な容器保持アーム７，８と、一対の容器保持アーム７，８の一端部をインナーケース３内に、他端部をインナーケース３外へ行くようにインナーケース３に水平回動可能に支持する支持軸９を備えている。しかも、一端部は容器保持部７ａ，８ａとして設けられ、他端部は把手部７ｄ，８ｄとして設けられている。【選択図】図１０
2007331797.tif 000002
【特許請求の範囲】
【請求項１】
下端部に容器支持部が設けられた筒状のケースと、前記ケースに周方向に向けて形成されたスリットと、前記スリットに沿って前記スリット内に配置可能に配設された一対の弾性変形可能な容器保持アームと、前記一対の容器保持アームの一端部を前記ケース内に、他端部を前記ケース外へ行くように前記ケースに水平回動可能に支持する支持軸を備え、
前記一端部は容器保持部として設けられ、前記他端部は把手部として設けられていることを特徴とする飲料容器ホルダー。
【請求項２】
前記各容器保持アームの途中に弾性変形可能なバネ部が設けられていることを特徴とする請求項１に記載の飲料容器ホルダー。
【請求項３】
前記スリットの長手方向両端部には下方に延びる取手配設用スリット部が形成され、前記把手部は前記取手配設用スリット部に沿って下方に延設されていることを特徴とする請求項１又は２に記載の飲料容器ホルダー。
【発明の詳細な説明】
【技術分野】
【０００１】
この発明は、例えば缶入り飲料やボトル入り飲料等の飲料容器を保持させる飲料容器ホルダーに関するものである。
【背景技術】
【０００２】
この種の飲料容器ホルダーとしては、平板状シートを飲料容器に巻き付けると共に、その平板状シートの両端部を重ねて把手部として、この把手部を持つことにより、飲料容器を直接触れずに持つことができるようにしたものが知られている（例えば、特許文献１参照）。
【特許文献１】特開２００２−２２５８７３号公報
【発明の開示】
【発明が解決しようとする課題】
【０００３】
この飲料容器ホルダーでは、ある一定の径の飲料容器のみ保持可能な構成であるため、飲料容器の径が異なると、この飲料容器を保持させることができないものであった。
【０００４】
そこで、この発明は、飲料容器の径の大小に拘わらず飲料容器を安定的に保持できる飲料容器ホルダーを提供することを目的とするものである。
【課題を解決するための手段】
【０００５】
この目的を達成するため、この発明は、下端部に容器支持部が設けられた筒状のケースと、前記ケースに周方向に向けて形成されたスリットと、前記スリットに沿って前記スリット内に配置可能に配設された一対の弾性変形可能な容器保持アームと、前記一対の容器保持アームの一端部を前記ケース内に、他端部を前記ケース外へ行くように前記ケースに水平回動可能に支持する支持軸を備え、前記一端部は容器保持部として設けられ、前記他端部は把手部として設けられている飲料容器ホルダーとしたことを特徴とする。
【発明の効果】
【０００６】
この構成によれば、飲料容器の径の大小に拘わらず飲料容器を安定的に保持することができる。
【発明を実施するための最良の形態】
【０００７】
以下、この発明の実施の形態を図面に基づいて説明する。
[構成]
図１において、１は図示しない自動車等の車両に設けられたカップホルダーである。このカップホルダー１は、車両のセンターコンソール等に設けられるアウターケース２を有する。このアウタケース２には、平面形状が正方形状のケース収容凹部２ａが形成されていると共に、ケース収容凹部２ａの上端に開放する切欠２ｂが形成されている（図２〜図４参照）。
＜飲料容器ホルダー＞
また、カップホルダー１は、ケース収容凹部２ａに着脱可能に嵌合された飲料容器ホルダーＨを有する。この飲料容器ホルダーＨは有底筒状のインナーケース３をホルダー本体として有する。このインナーケース３は図１，図３，図５，図６に示したように４つの側壁３ａ〜３ｄから角筒状に形成されている。
【０００８】
このインナーケース３には、図５，図６に示したように側壁３ａ〜３ｃに跨るアーム配設用スリット４が形成されている。このアーム配設用スリット４は、インナーケース３の上部に周方向に向けて形成された横スリット４ａと、横スリット４ａの両端から下方に向けて形成された縦スリット（取手配設用スリット部）４ｂ，４ｃを有する。
【０００９】
尚、この横スリット４ａは側壁３ａ〜３ｃに跨って設けられ、縦スリット４ｂ，４ｃは対向する側壁３ａ，３ｃに設けられている。この縦スリット４ｂの下端部には図６（ａ）のようにインナーケース３の内面側に位置させてストップ壁５が形成され、縦スリット４ｃの下端部には図６（ｂ）のようにインナーケース３の内面側に位置させてストップ壁６が形成されている。
【００１０】
また、縦スリット４ｂは側壁３ａと側壁３ｂとを連設する大きなＲ状（平面形状が大きな円弧状）のコーナ部Ｃ１近傍に位置して側壁３ａに設けられ、縦スリット４ｃは側壁３ｂと側壁３ｃとを連設する大きなＲ状（平面形状が大きな円弧状）のコーナ部Ｃ２近傍に位置して側壁３ｃに設けられている。尚、図２，図４において３ｅはインナーケース３の底壁（容器支持部）である。
＜容器保持アーム＞
また、飲料容器ホルダーＨは、スリット４内に上下に位置させて配設した容器保持アーム７，８を有する。この容器保持アーム７，８は、例えばＡＢＳ樹脂等から帯板状に形成されている。尚、容器保持アーム７，８は、左右が逆の形状に形成されている。
（容器保持アーム７）
この容器保持アーム７は図７に示したように横方向に延びる横板部Ａを有する。この横板部Ａは、先端に大きなＲ状（円弧状）の当接部７ａ１を有する容器保持部７ａと、平面形状がＬ字状のアーム部７ｂと、この容器保持部７ａとアーム部７ｂを連設している板バネ部７ｃを有する。
【００１１】
この板バネ部７ｃは、容器保持部７ａとアーム部７ｂの対向端部にそれぞれ一体に形成された薄肉板バネ部７ｃ１，７ｃ２を有する。この薄肉板バネ部７ｃ１，７ｃ２は、容器保持部７ａ及びアーム部７ｂよりも薄肉に形成されている。
【００１２】
尚、薄肉板バネ部７ｃ１は容器保持部７ａの外側面側に設けられ、薄肉板バネ部７ｃ２はアーム部７ｂの内側面側に設けられている。そして、この薄肉板バネ部７ｃ１，７ｃ２は、上下に延びる軸挿通用のボス部７ｃ３を介して一体に連設されている。しかも、アーム部７ｂの板バネ部７ｃとは反対側の端部には下方に向けて延びる把手部７ｄが一体に形成されている。
（容器保持アーム８）
また、容器保持アーム８は図８に示したように横方向に延びる横板部Ｂを有する。この横板部Ｂは、先端に大きなＲ状（円弧状）の当接部８ａ１を有する容器保持部８ａと、平面形状がＬ字状のアーム部８ｂと、この容器保持部８ａとアーム部８ｂを連設している板バネ部８ｃを有する。
【００１３】
この板バネ部８ｃは、容器保持部８ａとアーム部８ｂの対向端部にそれぞれ一体に形成された薄肉板バネ部８ｃ１，８ｃ２を有する。この薄肉板バネ部８ｃ１，８ｃ２は、容器保持部８ａ及びアーム部８ｂよりも薄肉に形成されている。
【００１４】
尚、薄肉板バネ部８ｃ１は容器保持部８ａの外側面側に設けられ、薄肉板バネ部８ｃ２はアーム部８ｂの内側面側に設けられている。そして、この薄肉板バネ部８ｃ１，８ｃ２は、上下に延びる軸挿通用のボス部８ｃ３を介して一体に連設されている。しかも、アーム部８ｂの板バネ部８ｃとは反対側の端部には下方に向けて延びる把手部８ｄが一体に形成されている。
【００１５】
更に、容器保持アーム７，８は、上下に延び且つボス部７ｃ３，８ｃ３に挿通された支持軸９（図４参照）により、横スリット４ａの長手方向の略中央（側壁３ｂの横方向の略中央）に位置させて側壁３ｂに水平回動可能に取り付けられている。
[作用]
次に、このような構成のカップホルダー１の作用を説明する。
【００１６】
上述した構成において、容器保持アーム７，８を支持軸９を中心に回動させて、容器保持アーム７，８全体を図５のようにアーム配設用スリット４内に配設したときに、容器保持アーム７，８はアーム配設用スリット４に沿って延びてアーム配設用スリット４全体を略閉成し、側壁３ａ〜３ｃの一部を形成しているような状態となる。
【００１７】
この状態では、図２の如く容器保持アーム７のＲ状の当接部７ａ１と横スリット４ａの端部との間に僅かな隙間Ｓ１が形成され、容器保持アーム８のＲ状の当接部８ａ１と容器保持アーム７の把手部７ｄとの間に図５に示したように僅かな隙間Ｓ２が形成されるようになっている。また、この把手部７ｄ，８ｄは、縦スリット４ｂ，４ｃの下端のストップ壁５，６（図６（ａ）、（ｂ）参照）に当接して、インナーケース３内には移動しないようになっている。
【００１８】
通常、飲料容器ホルダーＨを使用しない場合には、このように容器保持アーム７，８でアーム配設用スリット４全体を略閉成した状態で、図１，図２の如く飲料容器ホルダーＨをカップホルダー１のケース収容凹部２ａ内に収納する。
【００１９】
また、飲料容器ホルダーＨを使用する場合には、先ず、飲料容器ホルダーＨをカップホルダー１のケース収容凹部２ａから図５の如く取り出して、飲料容器２０を二点鎖線で示したようにインナーケース３内に配設する。
【００２０】
次に、容器保持アーム７，８の容器保持部７ａ，８ａをインナーケース３内に押し込むことにより、図９の如く容器保持アーム７，８の把手部７ｄ，８ｄを縦スリット４ｂ，４ｃから外側に出して、把手部７ｄ，８ｄが互いに接近する方向に容器保持アーム７，８を支持軸９を中心に回動させる。
【００２１】
これに伴い、容器保持部７ａ，８ａの当接部７ａ１，８ａ１の先端が飲料容器１０の外周面に当接する。そして、この当接後も更に把手部７ｄ，８ｄが略重なるような位置まで容器保持アーム７，８を回動させると、図１０，図１１の如く把手部７ｄとアーム部７ｂ及び把手部８ｄとアーム部８ｂのみが回動して、図１１の如く板バネ部７ｃ，８ｃがボス部７ｃ３，８ｃ３を中心に撓んで（図１２，図１３参照）、この板バネ部７ｃ，８ｃのバネ力により飲料容器１０が図１１のようにインナーケース３の側壁３ｄに押し付けられる。
【００２２】
この状態では、飲料容器１０が容器保持部７ａ，８ａの当接部７ａ１，８ａ１の先端とインナーケース３の側壁３ｄとで３点支持されて、前後左右及び上下に移動しない状態に安定的に保持されることになる。
【００２３】
この状態で容器保持アーム７，８の把手部７ｄ，８ｄを同時に握ることで、飲料容器ホルダーＨを介して飲料容器１０を安定的に持つことができる。また、飲みかけの飲料容器１０をケース収容凹部２ａに置く場合には、図３，図４に示したようにアーム部７ｂ，８ｂを切欠２ｂに係合させることで、把手部７ｄ，８ｄが略重なる位置でアウターケース２の外側に位置している状態となる。従って、飲料容器１０を取り出す際も、アーム部７ｂ，８ｂを握ってインナーケース３をケース収容凹部２ａから容易に取り出すことができる。
以上説明したように、この発明の実施の形態の飲料容器ホルダーＨは、下端部に容器支持部（底壁３ｅ）が設けられた筒状のケース（インナーケース３）と、前記ケース（インナーケース３）に周方向に向けて形成されたスリット（アーム配設用スリット４）と、前記スリット（アーム配設用スリット４）に沿って前記スリット（アーム配設用スリット４）内に配置可能に配設された一対の弾性変形可能な容器保持アーム７，８と、前記一対の容器保持アーム７，８の一端部を前記ケース（インナーケース３）内に、他端部を前記ケース（インナーケース３）外へ行くように前記ケース（インナーケース３）に水平回動可能に支持する支持軸９を備えている。しかも、前記一端部は容器保持部７ａ，８ａとして設けられ、前記他端部は把手部７ｄ，８ｄとして設けられている。
【００２４】
この構成によれば、一対の容器保持アーム７，８で飲料容器１０をインナーケース３の内面に押し付けるように保持できるので、飲料容器１０の径の大小に拘わらず飲料容器１０を安定的に保持できる。
【００２５】
また、この発明の実施の形態の飲料容器ホルダーＨにおいて、前記各容器保持アームの途中に弾性変形可能なバネ部（板バネ部７ｃ、８ｃ）が設けられている。
【００２６】
この構成によれば、容器保持アーム７，８の把手部７ｄ，８ｄ及び容器保持部７ａ，８ａを変形しない形状、厚さに形成できるので、把手部７ｄ，８ｄを握りやすい形状にできる。
【００２７】
更に、この発明の実施の形態の飲料容器ホルダーＨにおいて、前記スリット（横スリット４ａ）の長手方向両端部には下方に延びる取手用スリット部（縦スリット４ｂ，４ｃ）が形成され、前記把手部７ｄ，８ｄは前記取手用スリット部（縦スリット４ｂ，４ｃ）に沿って下方に延設されている。
【００２８】
この構成によれば、通常の取手付のコップ等の感覚で容器保持アーム７，８の把手部７ｄ，８ｄを握ることができる。
【図面の簡単な説明】
【００２９】
【図１】この発明に係る飲料ホルダーを備えるカップホルダーの概略斜視図である。
【図２】図１のＡ１−Ａ１線に沿う断面図である。
【図３】図１のカップホルダー使用時の概略斜視図である。
【図４】図３のＡ２−Ａ２線に沿う断面図である。
【図５】図１の飲料容器ホルダーの斜視図である。
【図６】（ａ）は図５のインナーケースの斜視図、（ｂ）は（ａ）のインナーケースの一部を示す部分側面図である。
【図７】図５の一対の容器保持アームの一方を説明するための斜視図である。
【図８】図５の一対の容器保持アームの他方を説明するための斜視図である。
【図９】図５の容器飲料ホルダーの使用説明の斜視図である。
【図１０】図５の容器飲料ホルダーの使用説明の斜視図である。
【図１１】図１０の平面図である。
【図１２】図１１の一対の容器保持アームの一方を説明するための斜視図である。
【図１３】図１１の一対の容器保持アームの他方を説明するための斜視図である。
【符号の説明】
【００３０】
Ｈ・・・飲料容器ホルダー
３ｅ・・・底壁（容器支持部）
３・・・インナーケース（ケース）
４・・・アーム配設用スリット（スリット）
４ａ・・・横スリット
４ｂ，４ｃ・・・縦スリット（取手用スリット部）
７・・・容器保持アーム
７ａ・・・容器保持部
７ｃ・・・板バネ部（バネ部）
７ｄ・・・把手部
８・・・容器保持アーム
８ａ・・・容器保持部
８ｃ・・・板バネ部（バネ部）
８ｄ・・・把手部
９・・・支持軸
【図１】
2007331797.tif 000003
【図２】
2007331797.tif 000004
【図３】
2007331797.tif 000005
【図４】
2007331797.tif 000006
【図５】
2007331797.tif 000007
【図６】
2007331797.tif 000008
【図７】
2007331797.tif 000009
【図８】
2007331797.tif 000010
【図９】
2007331797.tif 000011
【図１０】
2007331797.tif 000012
【図１１】
2007331797.tif 000013
【図１２】
2007331797.tif 000014
【図１３】
2007331797.tif 000015